【手続補正書】
【提出日】平成16年5月12日(2004.5.12)
【手続補正１】
【補正対象書類名】明細書
【補正対象項目名】特許請求の範囲
【補正方法】変更
【補正の内容】
【特許請求の範囲】
【請求項１】
複数の測光領域を有し、これら測光領域の境界上を含む複数箇所に焦点検出領域を設けたカメラにおいて、
前記複数の焦点検出領域の中から特定領域を選択する焦点検出領域選択手段と、
前記特定領域が前記境界上の焦点検出領域であるときに、前記特定領域とこの特定領域の近傍の焦点検出領域との焦点検出状態を比較した結果に応じて前記複数の測光領域の中から特定の重み付けをかける領域を決定する領域決定手段とを有することを特徴とするカメラ。
【請求項２】
前記領域決定手段は、前記特定領域の近傍の焦点検出領域のうち前記特定領域との焦点検出状態の差が最小の領域を含む測光領域を特定の重み付けをかける領域として決定することを特徴とする請求項１に記載のカメラ。
【請求項３】
前記領域決定手段は、前記特定領域の近傍の焦点検出領域のうち前記特定領域との焦点検出状態の差が最小の領域が複数あるときは、これら領域を含む複数の測光領域を特定の重み付けをかける領域として決定することを特徴とする請求項２に記載のカメラ。
【請求項４】
前記特定領域の近傍の焦点検出領域が、前記各測光領域のほぼ重心位置に配置されていることを特徴とする請求項２又は３に記載のカメラ。
【請求項５】
複数の測光領域に対して重み付けした測光演算を行う演算手段を有しており、
この演算手段は、前記領域決定手段により決定された特定の重み付けをかける領域に最大の重み付けを行うことを特徴とする請求項１から４のいずれか１つに記載のカメラ。
【手続補正２】
【補正対象書類名】明細書
【補正対象項目名】００１５
【補正方法】変更
【補正の内容】
【００１５】
【発明の実施の形態】
（第１実施形態）
図１〜図６には、本発明の第１実施形態である一眼レフカメラを示している。図１において、１は撮影レンズである。なお、図には２枚のレンズ１ａ，１ｂのみを示したが、実際はさらに多数のレンズを有している。２は主ミラーで、ファインダ系観察状態と撮影状態とに応じて撮影光路に対し斜設されたり退避されたりする。３はサブミラーで、主ミラー２を透過した光束をカメラボディの下方へ向けて反射する。
【手続補正３】
【補正対象書類名】明細書
【補正対象項目名】００１６
【補正方法】変更
【補正の内容】
【００１６】
４はシャッタである。５は感光部材で、銀塩フィルム又はＣＣＤやＭＯＳ型等の固体撮像素子やビディコン等の撮像管より成る。６は焦点検出部であり、結像面近傍に配置されたフィールドレンズ６ａ，反射ミラー６ｂ，６ｃ，２次結像レンズ６ｅ，絞り６ｄおよび複数のＣＣＤからなるラインセンサ６ｆ等から構成されている。
【手続補正４】
【補正対象書類名】明細書
【補正対象項目名】００２２
【補正方法】変更
【補正の内容】
【００２２】
２１は明るい被写体の中でも視認できる高輝度ＬＥＤ（以下、ＳＩ−ＬＥＤと記す）で、中心波長６８０ナノメータの赤色光を発光する。さらに、２２は前記９個の焦点検出領域７０〜７８の位置をパターン化したＬＣＤ（以下、ＳＩ−ＬＣＤと記す）であり、後述する焦点検出領域選択がなされた位置に相当するＬＣＤのパターンのみを透過状態とする。ＬＣＤ後方のＳＩ−ＬＥＤ２１から発せられた光は、ＳＩ−ＬＣＤ２２の前記透過パターンのみを通過し、投光レンズ２３、ダイクロイックミラ−２４を介し接眼レンズ１１を通って撮影者の眼球に到達する。これにより、撮影者はファインダー画面上で焦点検出領域表示パターンを目視することができる。つまり、図３に示したファインダ視野図から分かるように、焦点検出領域７０〜７８に対応するパターンの少なくとも１つがファインダ視野内で光り、選択がなされた焦点検出領域を表示させることができる。
【手続補正５】
【補正対象書類名】明細書
【補正対象項目名】００２３
【補正方法】変更
【補正の内容】
【００２３】
ここで、ダイクロイックミラー２４は波長６８０ナノメータ以上の光を反射する特性を有しており、ＳＩ−ＬＥＤ２１の光を効率良く観察者の眼に導くとともに、撮影レンズ１からの光をほとんど光量落ちなしにファインダー被写界像として撮影者に観察させることができる。
【手続補正６】
【補正対象書類名】明細書
【補正対象項目名】００３２
【補正方法】変更
【補正の内容】
【００３２】
１０５は液晶表示素子ＬＣＤを表示駆動させるための公知のＬＣＤ駆動回路で、ＣＰＵ１００からの信号に従って絞り値、シャッタ秒時、設定した撮影モード等の表示を外部モニタ用ＬＣＤ２０とＦ−ＬＣＤ２５とスーパーインポーズ用のＳＩ−ＬＣＤ２２とを同時に制御し、情報を表示させる。ＬＥＤ駆動回路１０６は、Ｆ−ＬＥＤ２６とＳＩ−ＬＥＤ２１を点灯・点滅制御する。
【手続補正７】
【補正対象書類名】明細書
【補正対象項目名】００３５
【補正方法】変更
【補正の内容】
【００３５】
レリーズボタンが押し込まれスイッチＳＷ１がＯＮされたことを信号入力回路１０４が検知すると、ＣＰＵ１００はカメラに装着されたレンズとの間で相互通信を行い、カメラが測光やＡＦを実行するのに必要なレンズ情報、例えば撮影レンズ１の開放Ｆナンバー、ベストピント位置等の情報がカメラのメモリに転送される（ステップ＃２０２）。
【手続補正８】
【補正対象書類名】明細書
【補正対象項目名】００３７
【補正方法】変更
【補正の内容】
【００３７】
次に焦点検出を行うために、焦点検出領域選択スイッチ（ＳＷ−ＡＦ）１４が自動モードになっているか手動モードになっているかの設定確認を行う（ステップ＃２０４）。ここで焦点検出領域選択が自動モードに設定されていたならば、前記９個の焦点検出領域７０〜７８におけるデフォーカス量ＤＥＦ０〜ＤＥＦ８を基に、焦点検出領域自動選択サブルーチン（ステップ＃２０５）によって特定の焦点検出領域を選択する。
【手続補正９】
【補正対象書類名】明細書
【補正対象項目名】００４２
【補正方法】変更
【補正の内容】
【００４２】
スイッチＳＷ２がＯＮされたときは、ＣＰＵ１００はシャッター制御回路１０８、モータ制御回路１０９および絞り駆動回路１１１にそれぞれ信号を送信する。シャッター制御回路１０８はモータＭ２に通電して主ミラー２をアップ（退避）させ、絞り駆動回路１１１により絞り３１が絞り込まれた後、マグネットＭＧ１に通電してシャッター４の先幕を開放する。絞り３１の絞り値およびシャッター４のシャッタースピードは、測光回路１０２にて検知された測光値とフィルム５の感度とから決定される。
【手続補正１０】
【補正対象書類名】明細書
【補正対象項目名】００４５
【補正方法】変更
【補正の内容】
【００４５】
次に、上記測光演算（ステップ＃２１１）について図５のフローチャートを用いて詳しく説明する。ＣＰＵ１００は測光演算を実行するのに、まず最初に測光センサ１０の測光回路１０２から送られてくる前記１９個の分割センサの出力（被写体輝度信号）を取り込んで、出力のＡＤ変換を行う（ステップ＃３００）。
【手続補正１１】
【補正対象書類名】明細書
【補正対象項目名】００４６
【補正方法】変更
【補正の内容】
【００４６】
次に、ステップ＃２０２のレンズ通信で得られた撮影レンズ１のレンズ情報である開放Ｆナンバー、周辺光量落ち等のデータを用いて、ＡＤ変換された分割センサ出力に対する補正を行い、撮影被写体の正しい輝度信号に変換する（ステップ＃３０１）。以下、これら各測光領域Ｓ０〜Ｓ１８の補正後の輝度信号をｅ０〜ｅ１８として説明する。
【手続補正１２】
【補正対象書類名】明細書
【補正対象項目名】００５５
【補正方法】変更
【補正の内容】
【００５５】
以上のことより、主被写体を最重視した測光値（露出値）Ｅを以下の式で得ることができる（ステップ＃３０６）。
【手続補正１３】
【補正対象書類名】明細書
【補正対象項目名】００６１
【補正方法】変更
【補正の内容】
【００６１】
焦点検出領域が１９個に拡大したことで、撮影者のカメラの焦点調節における操作性は向上したが、カメラの構成上、測光センサ１０として第１実施形態のものと同じ９分割センサを用いているために、焦点検出領域８０，８２，８５，８７はそれぞれ４つの測光領域の境界近傍上に配置される。このため、カメラの焦点検出領域としてこれら領域８０，８２，８５，８７のいずれかが選択されたときの主被写体に対する適正な測光をどのように行うかが問題となる。 そこで、この場合の測光演算手法を、焦点検出領域８０がカメラの合焦動作を行うべき焦点検出領域として選択された場合を例にとって説明する。
【手続補正１４】
【補正対象書類名】図面
【補正対象項目名】図１
【補正方法】変更
【補正の内容】
【図１】
1998311999.tif 000001
【手続補正１５】
【補正対象書類名】図面
【補正対象項目名】図２
【補正方法】変更
【補正の内容】
【図２】
1998311999.tif 000002
【手続補正１６】
【補正対象書類名】図面
【補正対象項目名】図４
【補正方法】変更
【補正の内容】
【図４】
1998311999.tif 000003
【手続補正１７】
【補正対象書類名】図面
【補正対象項目名】図５
【補正方法】変更
【補正の内容】
【図５】
1998311999.tif 000004